(57)【特許請求の範囲】
【請求項１】
上部が開放した貯槽本体の底板上面と側板内周面、及び貯槽本体内に配置した屋根体下面により囲まれる空間へ空気圧を付与して、屋根体を浮揚させるときに、予め屋根体の上面側にその周方向に貯留区画が並んだ環状のウエイト容器を拘束手段を用いて仮設しておき、設計資料から想定した重量分布の偏りが解消されるように所定の貯留区画へ液体ウエイトを貯留した後、屋根体の浮揚作業を開始し、浮揚状態の屋根体を貯槽本体に拘束した後、貯留区画の液体ウエイトを流出させ、更に、ウエイト容器を屋根体から撤去することを特徴とする貯槽屋根体浮揚時の傾斜防止方法。
【請求項２】
浮揚作業開始後、屋根体の傾きが許容範囲を超過した際に、屋根体の実際の重量分布が適正になるように所定の貯留区画の液体ウエイトを増量する請求項１に記載の貯槽屋根体浮揚時の傾斜防止方法。
【請求項３】
浮揚作業開始後、屋根体の傾きが許容範囲を超過した際に、屋根体の実際の重量分布が適正になるように所定の貯留区画の液体ウエイトを減量する請求項１に記載の貯槽屋根体浮揚時の傾斜防止方法。
【発明の詳細な説明】
【０００１】
【発明の属する技術分野】
本発明は、貯槽屋根体浮揚時の傾斜防止方法に関するものである。
【０００２】
【従来の技術】
図３はエアレイジング工法による貯槽建設作業の一例を示すものであり、この貯槽建設作業では、平坦な底板１と、該底板１周縁部分から上方へ延びる円筒状の側板２とで構成される貯槽本体３を構築し、屋根体４を底板１上で組み立てたうえ、側板２の内周に接するシール部材５を屋根体４の周縁部分に装着し、更に、側板２の上端部分全周に屋根体４外周部分全周が内接すべきナックルプレート、リングプレート、コンプレッションリングなどの接合部６を形成する。
【０００３】
この後、貯槽本体３の底板１上面と側板２内周面、及び屋根体４下面によって囲まれる空間内へ、貯槽本体３の外部に設けたブロワ７から空気を送給し、当該空間の内圧を高めて屋根体４を毎分３０ｃｍ程度の速度で上昇させ、最終的には、屋根体４外縁部分と接合部６内縁部分とを全周にわたって溶接などにより接合して拘束する。
【０００４】
上記の屋根体４は、その各所に取り付けた器具などの影響により、重量分布が均一にはなっていない。
【０００５】
そこで従来は、屋根体４を浮揚させる前に、設計資料から想定した重量分布の偏りが解消されるように、鋼板や形鋼をバランスウエイトとして屋根体４の所定箇所に予め搭載しておき、浮揚時に屋根体４が大きく傾かないようにしている。
【０００６】
また、屋根体４は、バランスウエイトを搭載した後、直ちにブロワ７によって接合部６まで上昇させるのではなく、底板１からある程度の高さまで屋根体４を上昇させる仮浮揚を行ない、当該屋根体４に大きな傾きが発生するか否かを見極めるようにしている。
【０００７】
【発明が解決しようとする課題】
しかしながら、屋根体４に対するバランスウエイトの積み降ろしには、移動式クレーンなどの揚重手段を用意しなければならず、また、貯槽直径が８０ｍ程度になると、バランスウエイトの総重量が３０ｔにも及ぶことがあり、その搭載や撤収に要する作業時間が長くなる。
【０００８】
更に、鋼板や形鋼は、部材を切断しない限りは、個々の重量を微細に増減することができないので、仮浮揚時の屋根体４の傾きが許容範囲を超過していた場合には、屋根体４の実際の重量分布が適正な状態になるように、バランスウエイトを揚重手段によって屋根体４の径方向へ移動させるようにしており、重量分布の修正を簡単に行なうことができない。
【０００９】
本発明は上述した実情に鑑みてなしたもので、貯槽屋根体浮揚時の付帯作業を軽減できるようにすることを目的としている。
【００１０】
【課題を解決するための手段】
上記目的を達成するため、本発明の請求項１に記載の貯槽屋根体浮揚時の傾斜防止方法では、上部が開放した貯槽本体の底板上面と側板内周面、及び貯槽本体内に配置した屋根体下面により囲まれる空間へ空気圧を付与して、屋根体を浮揚させるときに、予め屋根体の上面側にその周方向に貯留区画が並んだ環状のウエイト容器を拘束手段を用いて仮設しておき、設計資料から想定した重量分布の偏りが解消されるように所定の貯留区画へ液体ウエイトを貯留した後、屋根体の浮揚作業を開始し、浮揚状態の屋根体を貯槽本体に拘束した後、貯留区画の液体ウエイトを流出させ、更に、ウエイト容器を屋根体から撤去する。
【００１１】
本発明の請求項２に記載の貯槽屋根体浮揚時の傾斜防止方法では、浮揚作業開始後、屋根体の傾きが許容範囲を超過した際に、屋根体の実際の重量分布が適正になるように所定の貯留区画の液体ウエイトを増量する。
【００１２】
本発明の請求項３に記載の貯槽屋根体浮揚時の傾斜防止方法では、浮揚作業開始後、屋根体の傾きが許容範囲を超過した際に、屋根体の実際の重量分布が適正になるように所定の貯留区画の液体ウエイトを減量する。
【００１３】
本発明の請求項１に記載の貯槽屋根体浮揚時の傾斜防止方法においては、屋根体に仮設したウエイト容器の貯留区画に所定量の液体ウエイトを貯留して、設計資料から想定される屋根体の荷重分布の偏りを解消し、貯槽本体に対して屋根体を拘束した後、液体ウエイトを貯留区画から流出させて屋根体への荷重付加を解除し、更に、ウエイト容器を屋根から撤去して所定の貯槽屋根体を完成する。
【００１４】
本発明の請求項２に記載の貯槽屋根体浮揚時の傾斜防止方法においては、所定の貯留区画の液体ウエイトの量を増加させて、屋根体の重量分布の適正化を図る。
【００１５】
本発明の請求項３に記載の貯槽屋根体浮揚時の傾斜防止方法においては、所定の貯留区画の液体ウエイトの量を減少させて、屋根体の重量分布の適正化を図る。
【００１６】
【発明の実施の形態】
以下、本発明の実施の形態を、図面に基づいて説明する。
【００１７】
図１及び図２は本発明の貯槽屋根体浮揚時の傾斜防止方法による貯槽建設作業の実施の形態の一例を示すものであり、図中、図３と同一の符号を付した部分は同一物を表している。
【００１８】
貯槽本体３内の底板１で屋根体４を組み立てた後、この屋根体４の上面側に、ワイヤロープやターンバックルなどの拘束手段によって環状のウエイト容器１０を仮設しておく。
【００１９】
このウエイト容器１０の内部は、複数の隔壁１１で区分されており、それぞれ液体ウエイト９を貯留可能な貯留区画１２を形成している。
【００２０】
また、図示していないが、ウエイト容器１０は、各貯留区画１２から水などの液体ウエイト９を外部へ流出させるためのドレン弁を設けておく。
【００２１】
次に、液体ウエイト９を、図示しないホースを用いてウエイト容器８内に注入する。
【００２２】
この液体ウエイト９を注入する貯留区画１２は、設計資料から想定した屋根体４の重量分布が軽くなると想定される箇所に近いものとする。
【００２３】
この後、貯槽本体３の底板１上面と側板２内周面、及び屋根体４下面によって囲まれる空間内へ、貯槽本体３の外部に設けたブロワ７から空気を送給し、屋根体４を上昇させる。
【００２４】
上昇中の屋根体４に傾きが生じて、その傾きが許容範囲を超過した場合には、屋根体４の最も高い箇所に近い位置の貯留区画１２の液体ウエイト９の貯留量を増量し、あるいは屋根体４の最も低い箇所に近い位置の貯留区画１２の液体ウエイト９の貯留量を減量し、屋根体４の重量分布の均一化を図って、屋根体４の姿勢を修正し、屋根体４を更に上昇させて、その外縁部分と接合部６内縁部分とを溶接などにより接合する。
【００２５】
この後、各貯留区画１２に貯留されている液体ウエイト９を流出させたうえ、ウエイト容器１０を屋根体４から撤去する。
【００２６】
なお、本発明の貯槽屋根体浮揚時の傾斜防止方法は、上述した実施の形態のみに限定されるものではなく、本発明の要旨を逸脱しない範囲において変更を加え得ることは勿論である。
【００２７】
【発明の効果】
以上述べたように、本発明の貯槽屋根体浮揚時の傾斜防止方法によれば、下記のような種々の優れた効果を奏し得る。
【００３０】
（１）本発明の請求項１に記載の貯槽屋根体浮揚時の傾斜防止方法は、屋根体に仮設したウエイト容器の各貯留区画に所定量の液体ウエイトを貯留するだけで屋根体の荷重分布の偏りを解消し、貯槽屋根体浮揚時の傾斜を防止することができる。
【００３１】
（２）本発明の請求項１に記載の貯槽屋根体浮揚時の傾斜防止方法は、屋根体を貯槽本体に拘束した後に、液体ウエイトを貯留区画から流出させ且つそのウエイト容器を屋根から撤去するだけで撤収作業を完了することができる。
【００３２】
（３）本発明の請求項２に記載の貯槽屋根体浮揚時の傾斜防止方法は、所定の貯留区画の液体ウエイトの量を増加するだけで浮揚中の屋根体の姿勢を修正することができる。
【００３３】
（４）本発明の請求項３に記載の貯槽屋根体浮揚時の傾斜防止方法は、所定の貯留区画の液体ウエイトの量を減量するだけで浮揚中の屋根体の姿勢を修正することができる。
【図面の簡単な説明】
【図１】  本発明の貯槽屋根体浮揚時の傾斜防止方法による貯槽建設作業の実施の形態の一例を示す縦断面図である。
【図２】  図１のＩＩ−ＩＩ矢視図である。
【図３】  エアレイジング工法による貯槽建設作業の一例を示す縦断面図である。
【符号の説明】
１    底板
２    側板
３    貯槽本体
４    屋根体
９    液体ウエイト
１０  ウエイト容器
１２  貯留区画
【図１】
0003997816.tif 000002
【図２】
0003997816.tif 000003
【図３】
0003997816.tif 000004